(57)【要約】　　　（修正有）【課題】通常のお茶をいれる動作、コーヒーをいれる動作のなかで、意識することなくイオン還元化物質を取り込む為の、液体用抽出濾過具を提供する。【解決手段】コーヒー抽出過程において、抽出液の必須通過域に、イオン還元化物質を設置する為の空間部を確保し、コーヒーフィルターも繰り返し使用可能なフィルター材を設置することにより手軽で健康に良いマイナスイオン還元化抽出液が得られる。フィルターは、液体成分抽出具上部構成体下部２に、コーヒーを濾過する為の濾過用素材体３を設置し、その濾過用素材体３より出口に近い収束された空間部に、イオン還元化物質４を収納する。【選択図】図２
2004073770.tif 000002
【特許請求の範囲】
【請求項１】
本発明は液体成分抽出濾過具に関するものであって、用途は主にコーヒーに使用され、他に日本茶、紅茶、ウーロン茶等、濾過を必要とするものに適用され、その構造は濾過素材を有する液体成分抽出具の濾過部、あるいは抽出具本体の構成部材の全体、または一部にイオン還元化物質を包み保持できる収容空間部を有することを特徴とする液体用成分抽出濾過具。
【請求項２】
本発明は液体成分抽出濾過具に関するものであって、用途は主にコーヒーに使用され、他に日本茶、紅茶、ウーロン茶等、濾過を必要とするものに適用され、その構造は濾過素材を有する液体成分抽出具の濾過部、あるいは抽出具本体の構成部材の全体、または一部にイオン還元化物質を包み保持できる収容空間部を有し、その収容空間内にイオン還元化物質を保有保持することを特徴とする液体用成分抽出濾過具。
【請求項３】
本発明は液体成分抽出濾過具に関するものであって、用途は主にコーヒーに使用され、他に日本茶、紅茶、ウーロン茶等、濾過を必要とするものに適用され、その構造はコーヒー粉等を大漏斗部に設置し、その下端部に濾過素材を有する液体成分抽出具の濾過用素材を配し、その濾過用素材とその下部にある小漏斗部にまたがる空間部に、トルマリン鉱石等のマイナスイオンを発生し得る、物質を内包できうる為の収容空間部を有し、その収容空間部内にイオン還元化物質を保有保持することを特徴とする液体用成分抽出濾過具。
【発明の詳細な説明】
【０００１】
【産業上の利用分野】
この発明は、一見普通のコーヒードリッパーに見えつつ、ペーパーフィルターも必要とせず半永久的に使用できることにより、森林の省資源化が計られ、しかも人類の健康を正常にするイオン還元化物質を装置に具備することで、人々の体内イオン度をマイナスに保たせるように働く。　　即ち体内イオンバランスを正常にすることにも貢献でき、取り扱いが容易でしかも高性能な濾過性能を発揮する液体成分抽出具に関するものである。
【０００２】
【従来の技術】
従来、お茶やコーヒーを入れる際、おいしく入れるにはメッシュ状のフィルターや、ペーパーフィルター等いろいろなものが使用されるようになってきた。しかしその一方で、その利便性とあわせて健康を促進する為の機能を併せ持った液体用抽出濾過具は満足な物が存在せずその登場が待たれていた。
【０００３】
【発明の目的】
本発明は、液体用抽出具で、飲用に必須の濾過具本体に半永久的使用可能な濾過用素材体を設置することにより経済的に繰り返し使用でき、その抽出行程にイオン還元化物質を保持できる空間収容部を設置し、その収容部にイオン還元化物質を設置する。このことは通常の液体抽出作業の中で、特に注意を払うことなく、収容部内のイオン還元化物質が健康を促進するイオン抽出液を提供しひとつの作業で二つの目的を達成する物である。
【０００４】
【発明が解決しようとする課題】
今までにも、単に濾過性能を持つステンレス網や合成樹脂網の液体用抽出濾過具は存在していた。　　またイオン還元化物質を単体で使用するということはなされていた。　　　しかし手軽で、実際に飲用する状態で濾過されると同時にイオン還元化される液体用抽出濾過具は存在せず、その登場が待たれていた。
【０００５】
【前記目的を達成するための手段】
本発明は、この欠点を解消するために開発されたものでこれを図面について説明すれば、図１〜図３の形状を有するコーヒードリップフィルターにおいて、液体成分抽出具上部構成体１の下端部に、コーヒーを濾過する為の濾過用素材体３を設置し、その濾過用素材体３より出口に近い収束された空間部に、イオン還元化物質４を収納する。従来は通例マイナスイオン還元水を、一度、生成した後、コーヒーを入れる等の作業が必要になってくるのに対し、本発明では、本抽出具により濾過された、コーヒー抽出液がイオン還元化物質４の中をやや遅い速度で浸透通過し、その通常のコーヒーを入れる動作の中で、マイナスイオン還元化されたコーヒーの抽出液を手軽に作り出していくものである。
【０００６】
【発明の作用】本発明は以下の如き作用をなすものである。
本発明は、速やかな透水性を有する濾過用素材体３の後過程にイオン還元化物質４を備えることで、従来に比し、何ら手間を掛けることなくマイナスイオン還元化されたコーヒー抽出液を味わうことができる。　　　即ち、水をイオン還元水化する作業とコーヒーのドリップ作業との二つの全く別々の独立した作業を、従来のコーヒーを入れる動作のみの単一動作の中だけで、イオン還元化されたコーヒーを簡単に得ることができるものである。
従来、ペーパーフィルター等を用いた、コーヒードリップ方式や、他のコーヒー抽出法でも、コーヒー抽出動作の中だけで、簡単にイオン還元化されるものは見当たらない。　　この事は一見容易に見えることでありながら、今迄全く達成できず、そう云った製品自身が生まれなかった等この業界の現状を鑑みると、進歩性に優れた発明ということができる。
【０００７】
【実施例】以下に本発明を図面で対比参照しつつ実施例に基づいて説明する。液体成分抽出具上部構成体１の下端部に濾過用素材体３を一体成型や、熱溶着等により固定設置し、また下層部に設置された液体成分抽出具下部構成体２をネジまたは嵌め込み突起等により嵌合する。この時液体成分抽出具上部構成体１の下端部の濾過用素材体３と液体成分抽出具下部構成体２との空間部にイオン還元化
物質４を配置する。　又その際
【図２】のように予めメッシュフィルター６に梱
包されたような形状の物と、
【図１】のようにその空間部に封入された後
【図２】のメッシュフィルター６により滴下孔５をなかば塞ぐようにイオン還元化物質４を封入したような物が用意される。
この液体成分抽出具上部構成体１と液体成分抽出具下部構成体２間にイオン還元化物質４を内包したものとして完成され、それを台座７の上に置き、その下にカップやポットを設置し使用する。　その際台座７のエアー抜きリブ８は液体成分抽出具上部構成体１にコーヒー粉等を入れお湯を注いだ際に、カップ内などからの空気を逃がしスムーズに滴下される為のものであり、そのリブ８上に数箇所設けられたすべり防止突起９はカップやポットの上で台座７が滑るのを防止する物である。
また台座７に備えられた確認孔１０は台座７をカップ等に置きお湯を注ぎ抽出した際に、注がれたお湯の量などを確認しやすいように設けたものである。
【０００８】
【変形例等】以下に変形例等について説明を補足する。
（１）なお、この明細書において、ドリッパー及びドリップフィルターは、合成樹脂製のものだけでなく陶磁器製やガラス製、それ以外のアルミ等金属製
の物も含まれ材質は特に問わない。
（２）またこの明細書において、イオン還元化物質４は濾過用素材３の後過程に
設置されているが、濾過用素材３の前過程に設置されてもかまわない。
抽出過程の最適な中に設置されれば良い。　　またそのイオン還元化物質４はそれ単体を予め袋状のものに封じこめてもよく、後にメッシュフィル
ター６で挟み込むようにして設置しても良い。
（３）この濾過用素材３はセラミック等のフィルターでもよく不織布のフィルターでもよい。またメッシュフィルターに関しても、合成樹脂製メッシュでもよいしステンレス等の金属製メッシュでもよい。　　又形状も平面だけ
でなく、三次元的曲面状でもよい。
【図面の簡単な説明】
【図１】本発明の半断面の構成図である。
【図２】本発明の半断面の構成図である。
【図３】本発明の台座部の底面図である
【符号の説明】
（１）液体成分抽出具上部構成体　（２）液体成分抽出具下部構成体　（３）濾過用素材体　（４）イオン還元化物質　（５）滴下孔　（６）メッシュフィルター　（７）台座　（８）エアー抜きリブ　（９）すべり防止突起　（１０）確認孔
【図１】
2004073770.tif 000003
【図２】
2004073770.tif 000004
【図３】
2004073770.tif 000005